【手続補正書】
【提出日】平成19年10月17日(2007.10.17)
【手続補正１】
【補正対象書類名】明細書
【補正対象項目名】特許請求の範囲
【補正方法】変更
【補正の内容】
【特許請求の範囲】
【請求項１】
ａ）繊維質プライと、
ｂ）少なくとも１０12の値をもつ少なくとも１つの水酸化物生成定数を有する水溶性金属イオンを含有する抗ウイルス組成物と、
を含む抗ウイルス性ティシュ製品。
【請求項２】  前記水溶性金属イオンが、アルミニウム、銅またはそれらの混合物であり、さらに、好ましくは前記アルミニウムが、硫酸アルミニウム、硫酸アルミニウムカリウム、硝酸アルミニウム、アルミニウムクロロハイドレート、アルミニウムジルコニウムテトラクロロハイドレックスグリセン、またはその組み合わせで、さらに、前記銅が、硫酸銅、塩化銅、硝酸銅、酢酸銅、臭化銅、ヨウ化銅またはそれらの混合物である、請求項１に記載の抗ウイルス性ティシュ製品。
【請求項３】  前記抗ウイルス組成物が、多価アルコールを含有し、さらに、好ましくは前記多価アルコールが、グリセリンである、請求項１または２のいずれか１項に記載の抗ウイルス性ティシュ製品。
【請求項４】  前記抗ウイルス組成物が、１つの有機酸を含有し、好ましくは前記有機酸が、カルボン酸であり、より好ましくは前記カルボン酸が、ピロリドンカルボン酸、クエン酸、リンゴ酸、乳酸、グルタル酸、琥珀酸またはそれらの組み合わせである、請求項１から３のいずれか１項に記載の抗ウイルス性ティシュ製品。
【請求項５】  前記抗ウイルス性ティシュ製品が、ローションを含有する、請求項１から４のいずれか１項に記載の抗ウイルス性ティシュ製品。
【請求項６】  前記ローションが、抗ウイルス組成物を含有し、前記抗ウイルス組成物が、前記ローションの０．０５から８０重量％を構成し、さらに前記抗ウイルス組成物が、水溶性金属イオンを含有する、請求項５に記載の抗ウイルス性ティシュ製品。
【請求項７】  抗ウイルス性ティシュ製品において、第一の繊維質プライを含み、ここで、前記第一の繊維質プライが、第一の表面および第二の表面を有し、前記第二の表面が、前記第一の表面に対して反対向きに配置され、前記第一の表面が、水溶性金属イオンを含有する抗ウイルス組成物を含み、前記第二の表面が、ピロリドンカルボン酸、クエン酸、サリチル酸、リンゴ酸、グルタル酸、琥珀酸またはそれらの混合物を含有する抗ウイルス組成物を含み、好ましくは前記水溶性金属イオンが、アルミニウム、銅、またはそれらの混合物で、さらに、より好ましくは、前記水溶性金属イオンが、少なくとも１０12の値をもつ少なくとも１つの水酸化物生成定数を有する、抗ウイルス性ティシュ製品。
【請求項８】  前記抗ウイルス組成物が、多価アルコールを含有し、好ましくは前記多価アルコールが、グリセリンである、請求項７に記載の抗ウイルス性ティシュ製品。
【請求項９】
ａ）第一の表面および第二の表面を有する第一の繊維質プライを準備する工程と、ここで前記第二の表面が、前記第一の表面に対して反対向きに配置され；
ｂ）前記第一の繊維質プライの前記第一の表面に、抗ウイルス組成物を添加する工程と、ここで前記抗ウイルス組成物が、少なくとも１０7の値をもつ少なくとも１つの水酸化物生成定数を有する水溶性金属イオンを含有し；
ｃ）前記第一の繊維質プライと対面関係で接合する第二の繊維質プライを準備する工程と、ここで前記第二の繊維質プライが、第一の表面および第二の表面を有し、該第二の表面が、該第一の表面に対して反対向きに配置され、且つ前記第二の繊維質プライの前記第二の表面が、前記第一の繊維質プライの前記第二の表面に対面し、
を含む抗ウイルス性ティシュ製品の製造方法。
【請求項１０】  多価アルコールを前記抗ウイルス組成物に添加することを含む、請求項９に記載の方法。
【手続補正２】
【補正対象書類名】明細書
【補正対象項目名】００１９
【補正方法】変更
【補正の内容】
【００１９】
発明の詳細な説明
本明細書で用いられるように、“含むまたは含有する”という用語は、本発明を実施するために種々の構成成分（以下、成分ともいう。）、配合剤、または工程が同時に一緒に用いられることを意味する。したがって、“含むまたは含有する”という用語は、より限定的な用語“本質的に〜からなる”および“〜からなる”を包含する。
【手続補正３】
【補正対象書類名】明細書
【補正対象項目名】００８６
【補正方法】変更
【補正の内容】
【００８６】
ピログルタミン酸のＤ型立体異性体もまた以下の名称によって知られている：
Ｄ−プロリン、５−オキソ−（＋）−２−ピロリドン−５−カルボン酸、（＋）−ピログルタミン酸、（Ｒ）−２−ピロリドン−５−カルボン酸、５−オキソ−Ｄ−プロリン、Ｄ−２−ピロリドン−５−カルボン酸、Ｄ−ピログルタミン酸、Ｄ−ピロリジノンカルボン酸、およびＤ−ピロリドンカルボン酸。
ピログルタミン酸のL型立体異性体はまた以下の名称で知られている：
Ｌ−プロリン、５−オキソ−（−）−２−ピロリドン−５−カルボン酸、（−）−ピログルタミン酸、（５Ｓ）−２−オキソピロリジン−５−カルボン酸、（Ｓ）−（−）−２−ピロリドン−５−カルボン酸、（Ｓ）−２−ピロリドン−５−カルボン酸、（Ｓ）−５−オキソ−２−ピロリジンカルボン酸、（Ｓ）−ピログルタミン酸、２−Ｌ−ピロリドン−５−カルボン酸、２−ピロリジノン−５−カルボン酸、５−カルボキシ−２−ピロリジノン、５−オキソ−Ｌ−プロリン、５−オキソプロリン、５−ピロリジノン−２−カルボン酸、グルチミン酸、グリチミニン酸、Ｌ−２−ピロリドン−５−カルボン酸、Ｌ−５−カルボキシ−２−ピロリジノン、Ｌ−５−オキソ−２−ピロリジンカルボン酸、Ｌ−５−オキソプロリン、Ｌ−グルタミン酸、ガンマ−ラクタム、Ｌ−グルチミニン酸、Ｌ−ピログルタミン酸、Ｌ−ピロリジノンカルボン酸、Ｌ−ピロリドンカルボン酸、オキソプロリン、ＰＣＡ、ピドリン酸、ピログルタミン酸、ピロリジノンカルボン酸、ピロリドン−５−カルボン酸およびピロリドンカルボン酸。
【手続補正４】
【補正対象書類名】明細書
【補正対象項目名】０１１１
【補正方法】変更
【補正の内容】
【０１１１】
抗ウイルス性ティシュの他の任意の成分
１．水分バリヤー
本抗ウイルス性ティシュは、場合によって１つまたは２つ以上の防湿剤（以下、水分バリヤーともいう。）を含むことができる。前記任意の水分バリヤーは繊維質プライと接合または連結させるか、繊維質プライの上に配置するかまたは中に含浸してもよい。前記抗ウイルス組成物は場合によって本水分バリヤーに適用してもよい。
【手続補正５】
【補正対象書類名】明細書
【補正対象項目名】０１１３
【補正方法】変更
【補正の内容】
【０１１３】
適切な水分バリヤーはまた、英国第1,599,875号公報（Sweens et al.,1981年10月7日公開）および欧州特許公開明細書第0144658号（Enders, 1985年6月9日公開）に開示されている。
【手続補正６】
【補正対象書類名】明細書
【補正対象項目名】０１３４
【補正方法】変更
【補正の内容】
【０１３４】
本発明で有用なポリシロキサンの粘度は、それが流動可能であるかぎり、またはティシュ・ペーパーに適用するために流動可能であるかぎり、一般にポリシロキサンの粘度と同様に幅広く変化できる。これには、約２．５×１０-5から約２０ｍ2／ｓ（約２５から約20,000,000センチストーク）または場合によってはそれ以上が含まれるが、ただしこれらに限定されない。それ自体が耐流動性を有する高粘度ポリシロキサンは、例えば界面活性剤中でポリシロキサンを乳化させる方法、または例えばヘキサン（単に例示として挙げる）のような溶媒によりポリシロキサンを溶液として提供する方法によって効果的にティシュ・ペーパー・ウェッブに付着させることができる。ポリシロキサンをティシュ・ペーパー・ウェッブに適用する具体的な方法は下記でさらに詳しく考察する。
【手続補正７】
【補正対象書類名】明細書
【補正対象項目名】０１６９
【補正方法】変更
【補正の内容】
【０１６９】
柔軟性試験は、“Manual on Sensory Testing Methods”（ASTM Special Technical Publication 434, American Society For Testing and Materials(1968)刊行）（参照により本明細書に含まれる）に記載された形式と同様の形式でペア間比較とし実施する。柔軟性は一対差異試験（Paired Difference Test）と称されるものを用いた主観的試験によって評価される。この方法は試験材料それ自体に対して外部標準を用いる。触知可能な柔軟性については、２つのサンプルが試験者には見えないように提示され、試験者は触感を規準にして２つのサンプルの一方を選択することを要求される。この試験の結果はパネル・スコア単位（Panel Score Unit(PSU)）と称されるもので表示される。
【手続補正８】
【補正対象書類名】明細書
【補正対象項目名】０１７０
【補正方法】変更
【補正の内容】
【０１７０】
本明細書でＰＳＵとして記載される柔軟性データを得るための柔軟性試験に関して、多数の柔軟性パネル試験が実施される。各試験では、1０人の熟練した柔軟性判定員が、６セットのサンプル・ペアの相対的柔軟性について等級を付けることを要求される。複数のサンプル・ペアについて、各判定員は1度に1対のサンプルを判定する。すなわち、各ペアの一方のサンプルをＸとし、他方をＹとする。簡単に記せば、各Ｘサンプルをその相手方のＹサンプルに対して以下のように等級付けする：
１．ＸがＹよりも少し柔軟であるかもしれないと判定されたら、＋１の等級を与え、さらにＹがＸよりも少し柔軟であるかもしれないと判定されたら−１の等級を与え；
２．ＸがＹよりも少し柔軟であると判定されたら、＋２の等級を与え、さらにＹがＸよりも確かに少し柔軟であると判定されたら−２の等級を与え；
３．ＸがＹよりもかなり柔軟であると判定されたら、＋３の等級を与え、さらにＹがＸよりもかなり柔軟であると判定されたら−３の等級を与え；さらに最後に
４．ＸがＹよりも極めて柔軟であると判定されたら、＋４の等級を与え、さらにＹがＸよりも極めて柔軟であると判定されたら−４の等級を与える。